【事件の表示】
　特許第２９５８６６２号「発毛・養毛促進剤」の請求項１ないし３、８ないし１２、１７ないし２６に係る特許に対する特許異議の申立てについて、次のとおり決定する。
【結　論】
　訂正を認める。
　特許第２９５８６６２号の請求項１ないし１０に係る特許を維持する。
【理　由】
　
１．手続の経緯
　
　特許第２９５８６６２号発明は、平成２年１１月１９日に特許出願され、平成１１年７月３０日にその特許権の設定登録がなされ、その後、熊坂伸子より特許異議の申立てがなされ、平成１２年６月２７日付で第１回目の取消理由通知がなされ、その指定期間内である平成１２年９月２６日に訂正請求がなされたものである。
　
２．訂正の適否についての判断
　
（１）訂正の内容
・訂正事項ａ
　特許第２９５８６６２号の明細書（以下単に明細書という）中の特許請求の範囲の請求項１〜２６に
「【請求項１】　２−Ｏ−Ｄ−グルコピラノシル−Ｌ−アスコルビン酸（以下アスコルビン酸グルコシドと略す）を配合したことを特徴とする発毛・養毛促進剤。
【請求項２】　アスコルビン酸グルコシドが２−Ｏ−α−Ｄ−グルコピラノシル−Ｌ−アスコルビン酸（以下アスコルビン酸−α−グルコシドと略す）であることを特徴とする請求項第１項記載の発毛・養毛促進剤。
【請求項３】　アスコルビン酸グルコシドと、「（３−カルボキシプロピル）−トリメチルアンモニウムクロライドメチルエステル」、「６−アミノ−１，２−ジヒドロ−ヒドロキシ−イミノ−４−ピペリジノピリミジン」、「７−クロロ−３−メチル−２Ｈ−１，２，４−ベンゾチアジアジン−１，１−ジオキシド」、「ポリオキシエチレンソルビタンモノステアレート（２０Ｅ．Ｏ．）」、「センブリ抽出液」、「エチニルエストラジオール」、「延命草抽出液」及び「苦参抽出液」のいずれか１種又は２種以上を含有することを特徴とする発毛・養毛促進剤。
【請求項４】　養毛成分が請求項第３項に記載の「３−カルボキシプロピル−トリメチルアンモニウムクロライドメチルエステル」又はその誘導体とアスコルビン酸グルコシドを複合してなることを特徴とする発毛・養毛促進剤。
【請求項５】　養毛成分が請求項第３項に記載の「６−アミノ−１，２−ジヒドロ−ヒドロキシ−イミノ−４−ピペリジノピリミジン」又はその誘導体とアスコルビン酸グルコシドを複合してなることを特徴とする発毛・養毛促進剤。
【請求項６】　養毛成分が請求項第３項に記載の「７−クロロ−３−メチル−２Ｈ−１，２，４−ベンゾチアジアジン−１，１−ジオキシド」又はその誘導体とアスコルビン酸グルコシドを複合してなることを特徴とする発毛・養毛促進剤。　
【請求項７】　養毛成分が請求項第３項に記載の「ポリオキシエチレンソルビタンモノステアレート（２０Ｅ．Ｏ．）」又は「ポリオキシエチレンソルビタン脂肪酸エステルとアスコルビン酸グルコシド」を複合してなることを特徴とする発毛・養毛促進剤。
【請求項８】　養毛成分が請求項第３項に記載の「センブリ抽出液」とアスコルビン酸グルコシドを複合してなることを特徴とする発毛・養毛促進剤。　
【請求項９】　養毛成分が請求項第３項に記載の「エチニルエストラジオール」又は同様な作用を有する抗男性ホルモン剤とアスコルビン酸グルコシドを複合してなることを特徴とする発毛・養毛促進剤。
【請求項１０】　養毛成分が請求項第３項に記載の「苦参抽出液」、「延命草抽出液」の両者又はいずれかとアスコルビン酸グルコシドを複合してなることを特徴とする発毛・養毛促進剤。
【請求項１１】　アスコルビン酸グルコシドと皮膚血行促進作用成分を複合してなることを特徴とする発毛・養毛促進剤。
【請求項１２】　アスコルビン酸−α−グルコシドと「（３−カルボキシプロピル）−トリメチルアンモニウムクロライドメチルエステル」、「６−アミノ−１，２−ジヒドロ−ヒドロキシ−イミノ−４−ピペリジノピリミジン」、「７−クロロ−３−メチル−２Ｈ−１，２，４−ベンゾチアジアジン−１，１−ジオキシド」、「ポリオキシエチレンソルビタンモノステアレート（２０Ｅ．Ｏ．）」、「センブリ抽出液」、「エチニルエストラジオール」、「延命草抽出液」及び「苦参抽出液」のいずれか１種又は２種以上を含有することを特徴とする発毛・養毛促進剤。
【請求項１３】　養毛成分が請求項第１２項に記載の「（３−カルボキシプロピル）−トリメチルアンモニウムクロライドメチルエステル」又はその誘導体とアスコルビン酸−α−グルコシドを複合してなることを特徴とする発毛・養毛促進剤。　　　　
【請求項１４】養毛成分が請求項第１２項に記載の「６−アミノ−１，２−ジヒドロ−ヒドロキシ−イミノ−４−ピペリジノピリミジン」又はその誘導体とアスコルビン酸−α−グルコシドを複合してなることを特徴とする発毛・養毛促進剤。　
【請求項１５】　養毛成分が請求項第１２項に記載の「７−クロロ−３−メチル−２Ｈ−１，２，４−ベンゾチアジアジン−１，１−ジオキシド」又はその誘導体とアスコルビン酸−α−グルコシドを複合してなることを特徴とする発毛・養毛促進剤。
【請求項１６】　養毛成分が請求項第１２項に記載の「ポリオキシエチレンソルビタンモノステアレート（２０Ｅ．Ｏ．）」又は「ポリオキシエチレンソルビタン脂肪酸エステル」とアスコルビン酸−α−グルコシドを複合してなることを特徴とする発毛・養毛促進剤。
【請求項１７】　養毛成分が請求項第１２項に記載の「センブリ抽出液」とアスコルビン酸−α−グルコシドを複合してなることを特徴とする発毛・養毛促進剤。　
【請求項１８】　養毛成分が請求項第１２項に記載の「エチニルエストラジオール」又は同様な作用を有する抗男性ホルモン剤とアスコルビン酸−α−グルコシドを複合してなることを特徴とする発毛・養毛促進剤。
【請求項１９】　養毛成分が請求項第１２項に記載の「苦参抽出液」、「延命草抽出液」の両者又はいずれかとアスコルビン酸−α−グルコシドを複合してなることを特徴とする発毛・養毛促進剤。
【請求項２０】　アスコルビン酸−α−グルコシドと血行促進作用のある発毛・養毛成分剤を複合してなることを特徴とする発毛・養毛促進剤。
【請求項２１】　アスコルビン酸グルコシドと単糖類、二糖類、多糖類、糖アルコール類及び、フェノール配糖体類からなる群から選ばれる物質１種又は２種以上を含有することを特徴とする発毛・養毛促進剤。
【請求項２２】　アスコルビン酸−α−グルコシドと単糖類、二糖類、多糖類、糖アルコール類及び、フェノール配糖体類からなる群から選ばれる物質１種又は２種以上を含有することを特徴とする発毛・養毛促進剤。
【請求項２３】　アスコルビン酸グルコシドと、皮膚保湿剤、角質軟化剤及び皮膚殺菌剤の１種又は２種以上を含有することを特徴とする発毛・養毛促進剤。
【請求項２４】　アスコルビン酸−α−グルコシドと、皮膚保湿剤、角質軟化剤及び皮膚殺菌剤の１種又は２種以上を含有することを特徴とする発毛・養毛促進剤。
【請求項２５】　アスコルビン酸グルコシドと、アニオン系界面活性剤又はノニオン系界面活性剤の何れか１種又は両者を含有することを特徴とする発毛・養毛促進剤。
【請求項２６】　アスコルビン酸−α−グルコシドと、アニオン系界面活性剤又はノニオン系界面活性剤の何れか１種又は両者を含有することを特徴とする発毛・養毛促進剤。」
とあるのを、
「【請求項１】　２−Ｏ−Ｄ−グルコピラノシル−Ｌ−アスコルビン酸（以下アスコルビン酸グルコシドと略す）と、「（３−カルボキシプロピル）−トリメチルアンモニウムクロライドメチルエステル」、「６−アミノ−１，２−ジヒドロ−ヒドロキシ−イミノ−４−ピペリジノピリミジン」、「７−クロロ−３−メチル−２Ｈ−１，２，４−ベンゾチアジアジン−１，１−ジオキシド」及び「ポリオキシエチレンソルビタンモノステアレート（２０Ｅ．Ｏ．）」のいずれか１種又は２種以上を含有することを特徴とする発毛・養毛促進剤。
【請求項２】　養毛成分が請求項１に記載「（３−カルボキシプロピル）−トリメチルアンモニウムクロライドメチルエステル」又はその誘導体とアスコルビン酸グルコシドを複合してなることを特徴とする発毛・養毛促進剤。
【請求項３】　養毛成分が請求項１に記載の「６−アミノ−１，２−ジヒドロ−ヒドロキシ−イミノ−４−ピペリジノピリミジン」又はその誘導体とアスコルビン酸グルコシドを複合してなることを特徴とする発毛・養毛促進剤。
【請求項４】　養毛成分が請求項１に記載の「７−クロロ−３−メチル−２Ｈ−１，２，４−ベンゾチアジアジン−１，１−ジオキシド」又はその誘導体とアスコルビン酸グルコシドを複合してなることを特徴とする発毛・養毛促進剤。
【請求項５】　養毛成分が請求項１に記載の「ポリオキシエチレンソルビタンモノステアレート（２０Ｅ．Ｏ．）」又は「ポリオキシエチレンソルビタン脂肪酸エステル」とアスコルビン酸グルコシドを複合してなることを特徴とする発毛・養毛促進剤。
【請求項６】　２−Ｏ−α−Ｄ−グルコピラノシル−Ｌ−アスコルビン酸（以下アスコルビン酸−α−グルコシドと略す）と、「（３−カルボキシプロピル）−トリメチルアンモニウムクロライドメチルエステル」、「６−アミノ−１，２−ジヒドロ−ヒドロキシ−イミノ−４−ピペリジノピリミジン」、「７−クロロ−３−メチル−２Ｈ−１，２，４−ベンゾチアジアジン−１，１−ジオキシド」及び「ポリオキシエチレンソルビタンモノステアレート（２０Ｅ．Ｏ．）」のいずれか１種又は２種以上を含有することを特徴とする発毛・養毛促進剤。
【請求項７】　養毛成分が請求項６に記載の「（３−カルボキシプロピル）−トリメチルアンモニウムクロライドメチルエステル」又はその誘導体とアスコルビン酸−α−グルコシドを複合してなることを特徴とする発毛・養毛促進剤。
【請求項８】　養毛成分が請求項６に記載の「６−アミノ−１，２−ジヒドロ−ヒドロキシ−イミノ−４−ピペリジノピリミジン」又はその誘導体とアスコルビン酸−α−グルコシドを複合してなることを特徴とする発毛・養毛促進剤。
【請求項９】　養毛成分が請求項６に記載の「７−クロロ−３−メチル−２Ｈ−１，２，４−ベンゾチアジアジン−１，１−ジオキシド」又はその誘導体とアスコルビン酸−α−グルコシドを複合してなることを特徴とする発毛・養毛促進剤。
【請求項１０】養毛成分が請求項６に記載の「ポリオキシエチレンソルビタンモノステアレート（２０Ｅ．Ｏ．）又は「ポリオキシエチレンソルビタン脂肪酸エステル」とアスコルビン酸−α−グルコシドを複合してなることを特徴とする発毛・養毛促進剤。」
と訂正し、
・訂正事項ｂ
　明細書第１３頁第１〜２行の
「本発明請求項第１項及び第２項の」
を
「本発明の」
と訂正し、
・訂正事項ｃ
　明細書第１３頁末行の
「請求項第３項〜第１９項の本発明が」
を
「本発明が」
と訂正し、
・訂正事項ｄ
　明細書第１４頁第４〜７行の
「アスコルビン酸グルコシドとアスコルビン酸グルコシドがアスコルビン酸−α−グルコシドである本発明請求項第１項及び第２項との複合による」
を
「アスコルビン酸グルコシド又はアスコルビン酸−α−グルコシドとの複合による」
と訂正し、
・訂正事項ｅ
　明細書第１７頁第１３行の
「コンドロイチン硫酸塩糖」
を
「コンドロイチン硫酸塩等」
と訂正し、
・訂正事項ｆ
　明細書第１８頁第１１〜１２行の
「本発明に揚げた成分」
を
「本発明に掲げた成分」
と訂正するものである。
　
（２）訂正の目的の適否、新規事項の有無及び拡張・変更の存否
　
　訂正事項ａは、請求項１，２，８〜１０及び１７〜２６を削除し、請求項３及び１２中の「「（３−カルボキシプロピル）−トリメチルアンモニウムクロライドメチルエステル」、「６−アミノ−１，２−ジヒドロ−ヒドロキシ−イミノ−４−ピペリジノピリミジン」、「７−クロロ−３−メチル−２Ｈ−１，２，４−ベンゾチアジアジン−１，１−ジオキシド」、「ポリオキシエチレンソルビタンモノステアレート（２０Ｅ．Ｏ．）」、「センブリ抽出液」、「エチニルエストラジオール」、「延命草抽出液」及び「苦参抽出液」のいずれか１種又は２種以上を含有する」から「センブリ抽出液」、「エチニルエストラジオール」、「延命草抽出液」及び「苦参抽出液」を削除して各々順に請求項１及び６とし、請求項４〜７を繰り上げて請求項２〜５とし、請求項１３〜１６を繰り上げて請求項７〜１０とするものであるから、特許請求の範囲の減縮に該当し、かついずれも当初明細書に記載した事項の範囲内のものである。
　訂正事項ｂ〜ｄは、訂正事項ａに伴って、対応する発明の詳細な説明の記載を訂正するものであり、いずれも明りょうでない記載の釈明に該当する。そして、当初明細書に記載した事項の範囲内のものである。
　訂正事項ｅ及びｆは、いずれも誤記の訂正に該当する。
　そして、ａ〜ｆのいずれの訂正事項における訂正も、実質上特許請求の範囲を拡張し、又は変更するものでもない。
　以上のとおりであるから、上記訂正請求は、特許法第１２０条の４第２項及び同条第３項で準用する第１２６条第２〜３項の規定に適合するので、当該訂正を認める。
　
３．特許異議申立についての判断
　
（１）特許異議申立の理由の概要
　
　特許異議申立人熊坂伸子は、甲第１号証（特願平２−１５２３１９号（特開平４−４６１１２号）明細書）、甲第２号証（「最新化粧品科学　改訂増補」(昭和63-6-6発行)株式会社薬事日報社　第１０１〜１０８頁及び第１７８〜１８１頁）、甲第３号証（米国特許第４８３９１６４号明細書）及び参考資料（特開平３−１３５９９２号公報）を提出し、本件特許の請求項１〜３，８〜１２，１７〜２６に係る発明は、甲第１号証に係る発明に甲第２号証又は甲第３号証に記載された周知事項を付加したものに過ぎず、実質的に甲第１号証に係る発明と同一であるから、特許法第２９条の２の規定に違反してなされたものであると主張している。
　
（２）本件特許発明
　
　本件特許の請求項１〜１０に係る発明は、訂正後の特許請求の範囲に記載されたとおりのものと認められる。
　
（３）証拠の記載　
　
　甲第１号証には、「（１）α−グリコシル−Ｌ−アスコルビン酸及びα−グリコシル−バイオフラボノイドからなる群から選ばれる少なくとも一種を有効成分として含有せしめたことを特徴とする養毛剤。　（２）α−グリコシル−Ｌ−アスコルビン酸が２−Ｏ−α−Ｄ−グルコシル−Ｌ−アスコルビン酸であることを特徴とする特許請求の範囲第（１）項に記載の養毛剤。」（公開公報特許請求の範囲の項）と記載されており、「養毛剤は、例えば、サリチル酸、レゾルシン、グリチルリチン酸などの角質溶解剤や殺菌剤、消炎剤を使用する・・・養毛剤も、例えば、モノニトログアヤコール、パントテン酸誘導体、女性ホルモン、アミノ酸などの比較的薬理作用の強い成分を配合する・・・養毛剤は、例えば、塩化カルプロニウム、センブリ抽出液（スウェルチアマリン）、レイソーゲン、ビタミンＥ、Ｌ−アスコルビン酸などの末梢血管拡張剤・血行促進剤や栄養剤を使用する」（公開公報第２頁左上欄第７〜末行）こと、「本発明の養毛剤は、常法に従って液状、ゼリー状、乳状、エアゾル状、軟膏などの適宜形態にして、例えば、養毛料、ヘアトニック、ヘアリキッド、ヘアローション、ヘアクリーム、ヘアオイル、ヘアトリートメント、ムース、シャンプー、リンスとして用いることができる。」（公開公報第４頁右下欄第１５〜末行）こと、「本発明の養毛剤には上記必須成分の他に、通常養毛剤に用いられる、例えば、油性乃至水性基剤、エモリエント剤、乳化剤、ゲル化剤、香料、防腐剤、酸化防止剤、着色剤、清涼剤、殺菌剤、湿潤剤を適宜配合することができる。さらに、必要に応じて、ヒト及び動物に対して発育毛効果のある他のビタミンＥなどのビタミン類、ホルモン類、シアニン色素、アミノ酸類、血管拡張剤、血行促進剤、細胞賦活剤、消炎剤、殺菌剤、皮膚機能亢進剤、角質溶解剤などの薬剤を併用することができる。殊に、プロピレングリコール、１，３−ブチレングリコール、グリセリン、ソルビトール、ミリスチン酸オクチルドデシル、ポリオキシエチレンポリオキシプロピレングリコール、ラウリル酸ジエタノールアミンなどの湿潤剤は、α−グリコシル−Ｌ−アスコルビン酸及びα−グリコシル−バイオフラボノイドの溶解を促進するとともに、それらを皮膚によく馴染ませて皮下吸収を促進し、且つ、非刺激性であり、この発明の有効成分と組合わせることにより、顕著良好な発育毛効果を達成することができる。」（公開公報第５頁左上欄第１行〜右上欄第２行）こと、及び「本発明の養毛剤は、ヒトや動物の皮膚に塗布して顕著良好な発育毛効果を奏し、且つ、長期保存しても安定であって、その商品価値は極めて高い。従って、本発明の養毛剤は、例えば、老人性脱毛症、壮年性脱毛症、若年性脱毛症、円形脱毛症、機械性脱毛症、症候性脱毛症などの脱毛症による脱毛状態の改善並びに発育毛の促進に加え、フケ、カユミ、抜毛、白髪の予防・治療に著効を発揮する。」（公開公報第５頁右上欄第１４行〜左下欄第２行）こと、が記載されている。
　そして、上記α−グリコシル−Ｌ−アスコルビン酸については、「特願平１−２７４０１９号明細書（名称『結晶２−Ｏ−Ｄ−グルコピラノシル−Ｌ−アスコルビン酸とその製造方法並びに用途』）」（公開公報第４頁右上欄第２〜４行）に記載した方法で製造されることも記載されており、また上記「特願平１−２７４０１９号明細書」の公開公報である参考資料の第５頁上段右第１９行〜左下欄第１３行等の記載からみて、甲第１号証記載の「２−Ｏ−α−Ｄ−グリコシル−Ｌ−アスコルビン酸」は、本件特許発明にいう「２−Ｏ−Ｄ−グルコピラノシル−Ｌ−アスコルビン酸（アスコルビン酸グルコシド）」、「２−Ｏ−α−Ｄ−グルコピラノシル−Ｌ−アスコルビン酸（アスコルビン酸−α−グルコシド）」に該当する物質であると認められる。
　甲第２号証には、育毛・養毛剤中に、抗男性ホルモン（抗アンドロジェン）の１種である「エチニルエストラジオール」や、血行促進剤（末梢血管血流促進剤）として「センブリエキス」や「エンメイソウ」（延命草）を配合することが記載されている（特に第１０５頁）。
　甲第３号証には、甲第１号証中のアスコルビン酸グルコシド或いはアスコルビン酸−α−グルコシド含有養毛剤に併用し得るとされている上記湿潤剤に関し、数多くの糖類や二糖類（例えば、ショ糖、マンニトール、及びトレハロース）あるいはエステル類は、以前より、皮膚に潤いを与えるために化粧品の組成物として使用されてきていた旨記載されている（第２頁第１欄第２９〜３２行）。
　
（４）本件発明と甲第１号証記載の発明との対比・判断
　
　２（２）で記したように、訂正前の請求項１，２，８〜１０及び１７〜２６に係る発明は、訂正の結果削除され、訂正前の請求項３及び１２中の記載のうち「「センブリ抽出液」、「エチニルエストラジオール」、「延命草抽出液」及び「苦参抽出液」」については、訂正の結果削除されているので、甲第１号証記載の発明と重複する本件特許の発明に係る記載は、本件明細書中にもはや存在しない。
　
（５）むすび
　
　以上のとおりであるから、特許異議申立の理由及び証拠方法によっては、本件請求項１〜１０に係る発明の特許を取り消すことはできない。
　また、他に本件請求項１〜１０に係る発明の特許を取り消すべき理由を発見しない。
　よって、結論のとおり決定する。
【異議決定日】
平成１３年１月１７日（２００１．１．１７）
【訂正の要旨】
・訂正事項ａ
　特許請求の範囲の減縮を目的として、特許第２９５８６６２号の明細書（以下単に明細書という）中の特許請求の範囲の請求項１〜２６に
「【請求項１】　２−Ｏ−Ｄ−グルコピラノシル−Ｌ−アスコルビン酸（以下アスコルビン酸グルコシドと略す）を配合したことを特徴とする発毛・養毛促進剤。
　【請求項２】　アスコルビン酸グルコシドが２−Ｏ−α−Ｄ−グルコピラノシル−Ｌ−アスコルビン酸（以下アスコルビン酸−α−グルコシドと略す）であることを特徴とする請求項第１項記載の発毛・養毛促進剤。
　【請求項３】　アスコルビン酸グルコシドと、「（３−カルボキシプロピル）−トリメチルアンモニウムクロライドメチルエステル」、「６−アミノ−１，２−ジヒドロ−ヒドロキシ−イミノ−４−ピペリジノピリミジン」、「７−クロロ−３−メチル−２Ｈ−１，２，４−ベンゾチアジアジン−１，１−ジオキシド」、「ポリオキシエチレンソルビタンモノステアレート（２０Ｅ．Ｏ．）」、「センブリ抽出液」、「エチニルエストラジオール」、「延命草抽出液」及び「苦参抽出液」のいずれか１種又は２種以上を含有することを特徴とする発毛・養毛促進剤。
　【請求項４】　養毛成分が請求項第３項に記載の「３−カルボキシプロピル−トリメチルアンモニウムクロライドメチルエステル」又はその誘導体とアスコルビン酸グルコシドを複合してなることを特徴とする発毛・養毛促進剤。
　【請求項５】　養毛成分が請求項第３項に記載の「６−アミノ−１，２−ジヒドロ−ヒドロキシ−イミノ−４−ピペリジノピリミジン」又はその誘導体とアスコルビン酸グルコシドを複合してなることを特徴とする発毛・養毛促進剤。
　【請求項６】　養毛成分が請求項第３項に記載の「７−クロロ−３−メチル−２Ｈ−１，２，４−ベンゾチアジアジン−１，１−ジオキシド」又はその誘導体とアスコルビン酸グルコシドを複合してなることを特徴とする発毛・養毛促進剤。
　【請求項７】　養毛成分が請求項第３項に記載の「ポリオキシエチレンソルビタンモノステアレート（２０Ｅ．Ｏ．）」又は「ポリオキシエチレンソルビタン脂肪酸エステルとアスコルビン酸グルコシド」を複合してなることを特徴とする発毛・養毛促進剤。
　【請求項８】　養毛成分が請求項第３項に記載の「センブリ抽出液」とアスコルビン酸グルコシドを複合してなることを特徴とする発毛・養毛促進剤。
　【請求項９】　養毛成分が請求項第３項に記載の「エチニルエストラジオール」又は同様な作用を有する抗男性ホルモン剤とナスコルビン酸グルコシドを複合してなることを特徴とする発毛・養毛促進剤。
　【請求項１０】　養毛成分が請求項第３項に記載の「苦参抽出液」、「延命草抽出液」の両者又はいずれかとアスコルビン酸グルコシドを複合してなることを特徴とする発毛・養毛促進剤。
　【請求項１１】　アスコルビン酸グルコシドと皮膚血行促進作用成分を複合してなることを特徴とする発毛・養毛促進剤。
　【請求項１２】　アスコルビン酸−α−グルコシドと「（３−カルボキシプロピル）−トリメチルアンモニウムクロライドメチルエステル」、「６−アミノ−１，２−ジヒドロ−ヒドロキシ−イミノ−４−ピペリジノピリミジン」、「７−クロロ−３−メチル−２Ｈ−１，２，４−ベンゾチアジアジン−１，１−ジオキシド」、「ポリオキシエチレンソルビタンモノステアレート（２０Ｅ．Ｏ．）」、「センブリ抽出液」、「エチニルエストラジオール」、「延命草抽出液」及び「苦参抽出液」のいずれか１種又は２種以上を含有することを特徴とする発毛・養毛促進剤。
　【請求項１３】　養毛成分が請求項第１２項に記載の「（３−カルボキシプロピル）−トリメチルアンモニウムクロライドメチルエステル」又はその誘導体とアスコルビン酸−α−グルコシドを複合してなることを特徴とする発毛・養毛促進剤。
　【請求項１４】　養毛成分が請求項第１２項に記載の６−アミノ−１，２−ジヒドロ−ヒドロキシ−イミノ−４−ピペリジノピリミジン」又はその誘導体とアスコルビン酸−α−グルコシドを複合してなることを特徴とする発毛・養毛促進剤。
　【請求項１５】　養毛成分が請求項第１２項に記載の「７−クロロ−３−メチル−２Ｈ−１，２，４−ベンゾチアジアジン−１，１−ジオキシド」又はその誘導体とアスコルビン酸−α−グルコシドを複合してなることを特徴とする発毛・養毛促進剤。
　【請求項１６】　養毛成分が請求項第１２項に記載の「ポリオキシエチレンソルビタンモノステアレート（２０Ｅ．Ｏ．）」又は「ポリオキシエチレンソルビタン脂肪酸エステル」とアスコルビン酸−α−グルコシドを複合してなることを特徴とする発毛・養毛促進剤。
　【請求項１７】　養毛成分が請求項第１２項に記載の「センブリ抽出液」とアスコルビン酸−α−グルコシドを複合してなることを特徴とする発毛・養毛促進剤。
　【請求項１８】　養毛成分が請求項第１２項に記載の「エチニルエストラジオール」又は同様な作用を有する抗男性ホルモン剤とアスコルビン酸−α−グルコシドを複合してなることを特徴とする発毛・養毛促進剤。
　【請求項１９】　養毛成分が請求項第１２項に記載の「苦参抽出液」、「延命草抽出液」の両者又はいずれかとアスコルビン酸−α−グルコシドを複合してなることを特徴とする発毛・養毛促進剤。
　【請求項２０】　アスコルビン酸−α−グルコシドと血行促進作用のある発毛・養毛成分剤を複合してなることを特徴とする発毛・養毛促進剤。
　【請求項２１】　アスコルビン酸グルコシドと単糖類、二糖類、多糖類、糖アルコール類及び、フェノール配糖体類からなる群から選ばれる物質１種又は２種以上を含有することを特徴とする発毛・養毛促進剤。
　【請求項２２】　アスコルビン酸−α−グルコシドと単糖類、二糖類、多糖類、糖アルコール類及び、フェノール配糖体類からなる群から選ばれる物質１種又は２種以上を含有することを特徴とする発毛・養毛促進剤。
　【請求項２３】　アスコルビン酸グルコシドと、皮膚保湿剤、角質軟化剤及び皮膚殺菌剤の１種又は２種以上を含有することを特徴とする発毛・養毛促進剤。
　【請求項２４】　アスコルビン酸−α−グルコシドと、皮膚保湿剤、角質軟化剤及び皮膚殺菌剤の１種又は２種以上を含有することを特徴とする発毛・養毛促進剤。
　【請求項２５】　アスコルビン酸グルコシドと、アニオン系界面活性剤又はノニオン系界面活性剤の何れか１種又は両者を含有することを特徴とする発毛・養毛促進剤。
　【請求項２６】　アスコルビン酸−α−グルコシドと、アニオン系界面活性剤又はノニオン系界面活性剤の何れか１種又は両者を含有することを特徴とする発毛・養毛促進剤。」とあるのを、
「【請求項１】　２−Ｏ−Ｄ−グルコピラノシル−Ｌ−アスコルビン酸（以下アスコルビン酸グルコシドと略す）と、「（３−カルボキシプロピル）−トリメチルアンモニウムクロライドメチルエステル」、「６−アミノ−１，２−ジヒドロ−ヒドロキシ−イミノ−４−ピペリジノピリミジン」、「７−クロロ−３−メチル−２Ｈ−１，２，４−ベンゾチアジアジン−１，１−ジオキシド」及び「ポリオキシエチレンソルビタンモノステアレート（２０Ｅ．Ｏ．）」のいずれか１種又は２種以上を含有することを特徴とする発毛・養毛促進剤。
　【請求項２】　養毛成分が請求項１に記載「（３−カルボキシプロピル）−トリメチルアンモニウムクロライドメチルエステル」又はその誘導体とアスコルビン酸グルコシドを複合してなることを特徴とする発毛・養毛促進剤。
　【請求項３】　養毛成分が請求項１に記載の「６−アミノ−１，２−ジヒドロ−ヒドロキシ−イミノ−４−ピペリジノピリミジン」又はその誘導体とアスコルビン酸グルコシドを複合してなることを特徴とする発毛・養毛促進剤。
　【請求項４】　養毛成分が請求項１に記載の「７−クロロ−３−メチル−２Ｈ−１，２，４−ベンゾチアジアジン−１，１−ジオキシド」又はその誘導体とアスコルビン酸グルコシドを複合してなることを特徴とする発毛・養毛促進剤。
　【請求項５】　養毛成分が請求項１に記載の「ポリオキシエチレンソルビタンモノステアレート（２０Ｅ．Ｏ．）」又は「ポリオキシエチレンソルビタン脂肪酸エステル」とアスコルビン酸グルコシドを複合してなることを特徴とする発毛・養毛促進剤。
　【請求項６】　２−Ｏ−α−Ｄ−グルコピラノシル−Ｌ−アスコルビン酸（以下アスコルビン酸−α−グルコシドと略す）と、「（３−カルボキシプロピル）−トリメチルアンモニウムクロライドメチルエステル」、「６−アミノ−１，２−ジヒドロ−ヒドロキシ−イミノ−４−ピペリジノピリミジン」、「７−クロロ−３−メチル−２Ｈ−１，２，４−ベンゾチアジアジン−１，１−ジオキシド」及び「ポリオキシエチレンソルビタンモノステアレート（２０Ｅ．Ｏ．）」のいずれか１種又は２種以上を含有することを特徴とする発毛・養毛促進剤。
　【請求項７】　養毛成分が請求項６に記載の「（３−カルボキシプロピル）−トリメチルアンモニウムクロライドメチルエステル」又はその誘導体とアスコルビン酸−α−グルコシドを複合してなることを特徴とする発毛・養毛促進剤。
　【請求項８】　養毛成分が請求項６に記載の「６−アミノ−１，２−ジヒドロ−ヒドロキシ−イミノ−４−ピペリジノピリミジン」又はその誘導体とアスコルビン酸−α−グルコシドを複合してなることを特徴とする発毛・養毛促進剤。
　【請求項９】　養毛成分が請求項６に記載の「７−クロロ−３−メチル−２Ｈ−１，２，４−ベンゾチアジアジン−１，１−ジオキシド」又はその誘導体とアスコルビン酸−α−グルコシドを複合してなることを特徴とする発毛・養毛促進剤。
　【請求項１０】　養毛成分が請求項６に記載の「ポリオキシエチレンソルビタンモノステアレート（２０Ｅ．Ｏ．）又は「ポリオキシエチレンソルビタン脂肪酸エステル」とアスコルビン酸−α−グルコシドを複合してなることを特徴とする発毛・養毛促進剤。」
と訂正し、
・訂正事項ｂ
　明りょうでない記載の釈明を目的として、明細書第１３頁第１〜２行の
「本発明請求項第１項及び第２項の」
を
「本発明の」
と訂正し、
・訂正事項ｃ
　明りょうでない記載の釈明を目的として、明細書第１３頁末行の
「請求項第３項〜第１９項の本発明が」
を
「本発明が」
と訂正し、
・訂正事項ｄ
　明りょうでない記載の釈明を目的として、明細書第１４頁第４〜７行の
「アスコルビン酸グルコシドとアスコルビン酸グルコシドがアスコルビン酸−α−グルコシドである本発明請求項第１項及び第２項との複合による」
を
「アスコルビン酸グルコシド又はアスコルビン酸−α−グルコシドとの複合による」
と訂正し、
・訂正事項ｅ
　誤記の訂正を目的として、明細書第１７頁第１３行の
「コンドロイチン硫酸塩糖」
を
「コンドロイチン硫酸塩等」
と訂正し、
・訂正事項ｆ
　誤記の訂正を目的として、明細書第１８頁第１１〜１２行の
「本発明に揚げた成分」
を
「本発明に掲げた成分」
と訂正するものである。
（５４）【発明の名称】
発毛・養毛促進剤
（５７）【特許請求の範囲】
　　【請求項１】　
２−Ｏ−Ｄ−グルコピラノシル−Ｌ−アスコルビン酸（以下アスコルビン酸グルコシドと略す）
」及び「
」の
　　【請求項２】　養毛成分が
請求項１
　　【請求項３】　養毛成分が
請求項１
　　【請求項４】　養毛成分が
請求項１
　　【請求項５】　養毛成分が
請求項１
　　【請求項６】　
２−Ｏ−α−Ｄ−グルコピラノシル−Ｌ−アスコルビン酸（以下アスコルビン酸−α−グルコシドと略す）
」及び「
」の
　　【請求項７】　養毛成分が
請求項６
　　【請求項８】　養毛成分が
請求項６
　　【請求項９】　養毛成分が
請求項６
　　【請求項１０】　養毛成分が
請求項６
【発明の詳細な説明】
　　（産業上の利用分野）
　本発明は、安全性、製品安定性に優れ、発毛・養毛効果の高い発毛・養毛促進剤に関するものである。
　　（従来の技術）
　脱毛症には先天性の無毛症や瘢痕性脱毛症などは別として、いわゆる男性型脱毛症や円形脱毛症は、頭皮の組織中に毛を再成長させるもととなる細胞で、発毛に不可欠の毛芽細胞が存在するにも拘らず、毛を産生する機能が低下又は一時的に停止してしまい、それによって薄毛・脱毛を発症するものが大部分である。
　これらの脱毛症の原因には種々の説があり、多くの研究がされ、種々の治療がこれまで行われてきたがその発症の原因は明確でなく、今だに確立された予防や治療の方法がないのが現状である。
　今日、我々の社会風俗に於いて、毛髪を美容的観点から見たとき、その占める役割と意味は大きく、脱毛症患者の精神的苦悩は計り知れないものがある。
　　（発明が解決しようとする課題）
　本発明は安全性、安定性に優れ、毛芽細胞の消失を伴わない各種脱毛症への治療効果が高く、又脱毛症が発症していない人に対しては、脱毛の予防効果のある発毛・養毛促進剤を開発することを目的として行ったものである。
　　（課題を解決するための手段）
　２−Ｏ−Ｄ−グルコピラノシル−Ｌ−アスコルビン酸（以下アスコルビン酸グルコシドと略す）は、天然型ビタミンＣ（Ｌ−アスコルビン酸）とブドウ糖との化合物であり、本化合物は生体中に存在することが確認されている成分である。
　本化合物の特徴は、従来のビタミンＣが水溶液中等で著しく不安定で常温で速やかに酸化されてしまうのに比して長期間安定であること、そしてアスコルビン酸グルコシドは我々皮膚の細胞が有する酵素グルコシダーゼにより容易にアスコルビン酸とブドウ糖に加水分解され、組織細胞に対して有効に作用するものであり、アスコルビン酸グルコシド自体及びその分解成分も、安全性の確立した天然成分である。
　本発明は、このアスコルビン酸グルコシドを必須成分として配合することを特徴とする発毛・養毛促進作用を有する発毛・養毛促進剤に関するものである。
　アスコルビン酸グルコシドは生体内酵素で切断されてビタミンＣとしての効果を示し、皮膚を構成する細胞に対して、皮膚組織の主成分であるタンパク成分の産生を高める作用〔第６２回目本生化学会発表，１９８９年，京都〕だけでなく、皮膚細胞の分裂・増殖を高める作用〔日本薬学会第１１０年会（生物化学部会）発表，１９９０年，札幌〕があることは本発明者らの研究により既に知られている。本発明者らはこの点に着目し、発毛・養毛促進有効成分としての研究開発を進めた結果、本発明の完成に至ったものである。
　本発明の完成までの経緯として初段階の検討は実験動物を用い、動物の体毛の成長に対する作用を検討した。アスコルビン酸誘導体投与による有効作用評価に適する動物として、養毛剤の効果評価に繁用される動物、マウス・ラットは生体中でアスコルビン酸を自己合成する動物であり適さない点、より、本研究発明ではヒトと同じくアスコルビン酸を自己合成出来ない動物、即ちモルモットを使用可能被検動物として用いて実験検討を行った。
　方法は、ハートレー系白色モルモット６匹を用い、１群３匹として全モルモットの背部毛を抜毛し、第１群をアスコルビン酸−α−グルコシド１％溶液の外用塗布投与群、第２群を対照液の外用塗布投与群として、１日１回１ｍｌずつ被検液の投与を再生毛の毛成長が終了するまで継続し、再生してきた毛について毛の長さと、最大直径の測定を行った。測定結果を表Ｉ及び表ＩＩと示す。
　本発明者らは、本発
明の
れ本
　又、既知の皮膚血行促進作用のある皮膚刺激作用機序成分、コリン作動性作用機序成分、アドレナリン抑制作用機序成分及び血管平滑筋弛緩作用機序成分等とアスコルビン酸グルコシド
又は
ドと
　アスコルビン酸グルコシドは生体中の皮膚組織中で酵素グルコシダーゼによりアスコルビン酸とブドウ糖に切断されて、その効果は発揮される。そしてこの切断の働きをする触媒酵素グルコシダーゼは本発明基礎研究により単糖類、二糖類、糖アルコール類、フェノール配糖体によって酸素力価を制御できることが確認された。この２つの点に着目し、これらの糖類とアスコルビン酸グルコシド又はアスコルビン酸−α−グルコシドを複合することにより継続的効果がえられ、より優れた効果の発現が見られた。
　アスコルビン酸グルコシドの経皮吸効率を高めることを目的として、本発明養毛剤中に化粧品類に繁用される保湿剤、角質軟化剤、界面活性剤を複合することによりアスコルビン酸グルコシド及びアスコルビン酸−α−グルコシドの皮膚内への吸収率の増大が認められた。
　アスコルビン酸グルコシド及びアスコルビン酸−α−グルコシドを外用した場合、皮膚表面に存在する常在菌により、皮膚内に吸収するまでに細胞による加水分解が見られたことから医薬品、医薬部外品に繁用される殺菌剤を複合することにより、アスコルビン酸グルコシドの皮表での安定性は増し、本発明外用養毛化粧料の効果は増大した。
　本発明で発毛・養毛促進剤として使用するアスコルビン酸−α−グルコシドの配合濃度は０．０１〜１０．０％程度が望ましい、アスコルビン酸グルコシド、濃度０．０１〜１０．０％含有する発毛・養毛促進剤に配合する「（３−カルボキシプロピル）−トリメチルアンモニウムクロライドメチルエステル」の濃度は０．０１〜５．０％程度が望ましい。「６−アミノ−１，２−ジヒドロ−ヒドロキシ−イミノ−４−ピペリジノピリミジン」の配合濃度は０．０１〜５．０％程度が望ましい。「７−クロロ−３−メチル−２Ｈ−ベンゾ−１，２，４−チアジアジン−１，１−ジオキシド」の配合濃度は０．０１〜５．０％程度が望ましい。「ポリオキシエチレンソルビタンモノステアレート（２０Ｅ．Ｏ．）」の配合濃度は１．０〜６０．０％程度が望ましい。「センブリ抽出液（乾燥重量１ｇは抽出液１ｇに相当）」の配合濃度は０．０１〜３０．０％程度が望ましい。「エチニルエストラジオール」の配合濃度は０．００１〜５．０％程度が望ましい。「延命草抽出液（乾燥重量１ｇは抽出液１ｇに相当）」の配合濃度は０．０１〜３０．０％程度が望ましい。「苦参抽出液（乾燥重量１ｇは抽出液１ｇに相当）」の配合濃度は０．０１〜３０．０％程度が望ましい。
　本発明で使用する単糖類としては、例えばグルコース、果糖マンノース、キシロース等を挙げることができ、配合濃度は０．１〜５．０％程度が望ましい。二糖類としては、フェノール配糖体類としては、アルブチン、サリシン等を示すことができ、又糖アルコール類としては例えばソルビット等を挙げることができ、これらの配合濃度は０．１〜５．０％程度が好ましい。皮膚保湿剤としては、グリセリン、プロピレングリコール、１，３−ブチレングリコール、エチレングリコール、ジエチレングリコール、ＰＥＧ（ポリエチレングリコール）類、エチルヘキサンジオール、糖アルコール類（例えば、ソルビット等）、ムコ多糖類（例えば、ヒアルロン酸塩、コンドロイチン硫酸塩
等
　　（実施例）
　本発明の実施例の一部を以下に示すが、本発明に
掲げた
実施例１
　次の処方により、常法にて養毛効果の優れたゲル養毛化粧料を調製した。
　　　　　　　　　　　　　　　　（単位，ｇ）
　　アスコルビン酸−α−グルコシド　１．０
　　７−クロロ−３−メチル−２Ｈ１，２，４−ベンゾチアジアジン−１，１−ジオキシド　１．０
　　濃グリセリン　　　　　　　　　　２．０
　　エチルヘキサンジオール　　　　　２．０
　　マルトース　　　　　　　　　　　１．０
　　ヒノキチオール　　　　　　　　　０．０１
　　デカグリセリルモノラウレート　　０．５
　　カルボキシビニールポリマー　　　０．５
　　トリエタノールアミン　　　　　　適量
　　香料　　　　　　　　　　　　　　微量
　　アルコール　　　　　　　　　　　３０．０
　　水※　　　　　　　　　　　全量１００．０ｇ
　（※水を加えて全量１００．０ｇとする。）
実施例２
　次の処方により、常法にて養毛効果の優れたローション養毛化粧料を調製した
　　　　　　　　　　　　　　　　（単位，ｇ）
　　アスコルビン酸一α一グルコシド　１．０
　　濃グリセリン　　　　　　　　　　５．０
　　サルチル酸　　　　　　　　　　　０．１
　　ＰＯＥ硬化ヒマシ油（５０Ｅ．Ｏ．）　０．５
　　アルコール　　　　　　　　　　　３０．０
　　香料　　　　　　　　　　　　　　微量
　　緩衝液　　　　　　　　　　　　　適量
　　水※　　　　　　　　　　　全量１００．０ｍｌ
　（※水を加えて全量１００．０ｍｌとする。）
　　上記において、ＰＯＥはポリオキシエチレン、Ｅ．Ｏ．はエチレンオキサイドを示す。
実施例３
　次の処方により、常法にて養毛効果の優れたローション養毛化粧料を調製した。
　　　　　　　　　　　　　　　　　（単位，ｇ）
　　　アスコルビン酸−α−グルコシド　１．０
　　　苦参抽出液　　　　　　　　　　　５．０
　　　尿素　　　　　　　　　　　　　　１．０
　　　β−グリチルレチン酸　　　　　　０．１
　　　Ｎ−ラウロイルグルタミン酸ナトリウム　０．５
　　　香料　　　　　　　　　　　　　　微量
　　　緩衝液　　　　　　　　　　　　　適量
　　　アルコール　　　　　　　　　　　５０．０
　　　フェノキシエタノール　　　　　　１．０
　　　水※　　　　　　　　　　　全量１００．０ｍｌ
　　（※水を加えて全量１００．０ｍｌとする。）
実施例４
　　　　　　　　　　　　　　　　　　　　（単位，ｇ）
　　　アスコルビン酸−α−グルコシド　１．０
　　　（３−カルボキシプロピル）−トリメチルアンモニウムクロライドメチルエステル　１．０
　　　濃グリセリン　　　　　　　　　３．０
　　　マルトース　　　　　　　　　　１．０
　　　イソプロピルメチルフェノール　０．３
　　　デカグリセリルモノラウレート　０．５
　　　サリチル酸　　　　　　　　　　０．５
　　　香料　　　　　　　　　　　　　微量
　　　緩衝液　　　　　　　　　　　　適量
　　　アルコール　　　　　　　　　　４０．０
　　　水※　　　　　　　　　　全量１００．０ｍｌ
　　（※水を加えて全量１００．０ｍｌとする。）
実施例５
　　　　　　　　　　　　　　　　　　　　（単位，ｇ）
　　　アスコルビン酸−α−グルコシド　１．０
　　　６−アミノ−１，２−ジヒドロヒドロキシイミノ−４−ピペリジノピリミジン　１．０
　　　濃グリセリン　　　　　　　　　２５．０
　　　サリチル酸　　　　　　　　　　　０．５
　　　マルトース　　　　　　　　　　　１．０
　　　ポリオキシエチレン硬化ヒマシ油　０．５
　　　　　（５０Ｅ．Ｏ．）
　　　イソプロピルメチルフェノール　　０．３
　　　緩衝液　　　　　　　　　　　　　適量
　　　香料　　　　　　　　　　　　　　微量
　　　アルコール　　　　　　　　　　　６０．０
　　　水※　　　　　　　　　　　　　全量１００．０ｍｌ
　　　（※水を加えて全量１００．０ｍｌとする。）
試験例
　男性型脱毛症の症状を呈する２６才から４８才の男性健常人１０名〜１５名を１群とし、１日１〜２回、約３ｍｌづつ４カ月間、下記中に示す発毛・養毛促進剤を塗布したところ、次の発毛・養毛効果の結果を得た。
判定基準
　４ヵ月後、塗布部分の新生毛の発生、発育などを単位面積あたりの硬毛の毛幹数を計測する毛密度測定法と、写真撮影を行い、判定するＳＣＯＲＥ判定法にて評価した。ＳＣＯＲＥ判定法の判定基準は次の通りとした。
　ＳＣＯＲＥ１　毛がほとんどなくわずかに軟毛が見られるのみである。
　ＳＣＯＲＥ２　脱毛部位に多数の軟毛とわずかに硬毛がみられる。
　ＳＣＯＲＥ３　脱毛部位に密集した軟毛があり、半数程度の硬毛がみられる。
　ＳＣＯＲＥ４　硬毛で全体が覆われているが、頭皮が透けて見える。
　ＳＣＯＲＥ５　脱毛斑、薄毛の状態が全くみられない。
・ＳＣＯＲＥ判定により、１ランク以上改善された場合を有効とする。
（結果）
・基剤１にアスコルビン酸−α−グルコシドを１％含有させた発毛・養毛促進剤の有効率は６０．０％を示した。
・基剤１にアスコルビン酸グルコシドを１％含有させた発毛・養毛促進剤の有効率は４０．０％を示した。
　従ってアスコルビン酸−α−グルコシドの方がアスコルビン酸グルコシドよりも、より優れた発毛・養毛促進効果を示した。
・基剤１に（３−カルボキシプロピル）−トリメチルアンモニウムクロライドメチルエステルを１．０％及びアスコルビン酸−α−グルコシドを１．０％含有させた発毛・養毛促進剤の有効率は基剤１に（３−カルボキシプロピル）−トリメチルアンモニウムクロライドメチルエステルを１．０％含有させた発毛・養毛促進剤の有効率より、１６．７％高くアスコルビン酸−α−グルコシドによる相乗効果が認められた。
・基剤２に６−アミノ−１，２−ジヒドロヒドロキシイミノ−４−ピペリジノピリミジンを１．０及びアスコルビン酸−α−グルコシドを１．０％含有させた発毛・養毛促進剤の有効率は基剤２に６−アミノ−１，２−ヒドロヒドロキシイミノ−４−ピペリジノピリミジンを１．０％含有させた発毛・養毛促進剤の有効率より、２０．０％高くアスコルビン酸−α−グルコシドによる相乗効果が認められた。
・基剤３に７−クロロ−３−メチル−２Ｈ−［ベンゾ−１，２，４−チアジアジン］−１，１−ジオキシドを１．０％及びアスコルビン酸−α−グルコシドを１．０％含有させた発毛・養毛促進剤の有効率は基剤３に７−クロロ−３−メチル−２Ｈ−［ベンゾ−１，２，４−チアジアジン］−１，１−ジオキシドを１．０％含有させた発毛・養毛促進剤の有効率より、２０．０％高くアスコルビン酸−α−グルコシドによる相乗効果が認められた。
・基剤１にポリオキシエチレンソルビタンモノステアレート（２０Ｅ．Ｏ．）を５０．０％及びアスコルビン酸−α−グルコシドを１．０％含有させた発毛・養毛促進剤の有効率は基剤１にポリオキシエチレンソルビタンモノステアレート（２０Ｅ．Ｏ．）を５０．０％含有させた発毛・養毛促進剤の有効率より、１４．３％高くアスコルビン酸−α−グルコシドによる相乗効果が認められた。なお、ポリオキシエチレンソルビタンモノステアレート（２０Ｅ．Ｏ．）の配合量分だけ基剤の水を差し引く。
・基剤１にセンブリ抽出液を１０．０％（乾燥重量１０ｇに相当）及びアスコルビン酸　−α−グルコシドを１．０％含有させた発毛・養毛促進剤の有効率は基剤１にセンブリ抽出液を１０．０％（乾燥重量１０ｇに相当）含有させた発毛・養毛促進剤の有効率より、１２．５％高くアスコルビン酸−α−グルコシドによる相乗効果が認められた。
・基剤１にエチニルエストラジオールを１．０％及びアスコルビン酸−α−グルコシドを１．０％含有させた発毛・養毛促進剤の有効率は基剤１にエチニルエストラジオールを１．０％含有させた発毛・養毛促進剤の有効率より、１１．１％高くアスコルビン酸−α−グルコシドによる相乗効果が認められた。
・基剤１に延命草抽出液を１０．０％（乾燥重量１０ｇに相当）及び苦参抽出液を１０．０％（乾燥重量１０ｇに相当）及びアスコルビン酸−α−グルコシドを１．０％含有させた発毛・養毛促進剤の有効率は基剤１に延命草抽出液を１０．０％（乾燥重量１０ｇに相当）含有させた発毛・養毛促進剤の有効率より、１１．１％高くアスコルビン酸−α−グルコシドによる相乗効果が認められた。
・基剤１に（３−カルボキシプロピル）−トリメチルアンモニウムクロライドメチルエステルを１．０％及びアスコルビン酸グルコシドを１．０％含有させた発毛・養毛促進剤の有効率は基剤１に（３−カルボキシプロピル）−トリメチルアンモニウムクロライドメチルエステルを１．０％含有させた発毛・養毛促進剤の有効率より、１５．４％高くアスコルビン酸−α−グルコシドによる相乗効果が認められた。
・基剤２に６−アミノ−１，２−ジヒドロヒドロキシイミノ−４−ピペリジノピリミジンを１．０及びアスコルビン酸グルコシドを１．０％含有させた発毛・養毛促進剤の有効率は基剤２に６−アミノ−１，２−ヒドロヒドロキシイミノ−４−ピペリジノピリミジンを１．０％含有させた発毛・養毛促進剤の有効率より、１５．４％高くアスコルビン酸−α−グルコシドによる相乗効果が認められた。
・基剤３に７−クロロ−３−メチル−２Ｈ−［ベンゾ−１，２，４−チアジアジン］−１，１−ジオキシドを１．０％及びアスコルビン酸グルコシドを１．０％含有させた発毛・養毛促進剤の有効率は基剤３に７−クロロ−３−メチル−２Ｈ−［ベンゾ−１，２，４−チアジアジン］−１，１−ジオキシドを１．０％含有させた発毛・養毛促進剤の有効率より、１６．７％高くアスコルビン酸−α−グルコシドによる相乗効果が認められた。
・基剤１にポリオキシエチレンソルビタンモノステアレート（２０Ｅ．Ｏ．）を５０．０％及びアスコルビン酸グルコシドを１．０％含有させた発毛・養毛促進剤の有効率は基剤１にポリオキシエチレンソルビタンモノステアレート（２０Ｅ．Ｏ．）を５０．０％含有させた発毛・養毛促進剤の有効率より、１０．０％高くアスコルビン酸グルコシドによる相乗効果が認められた。なお、ポリオキシエチレンソルビタンモノステアレート（２０Ｅ．Ｏ．）の配合量分だけ基剤の水を差し引く。
・基剤１にセンブリ抽出液を１０．０％（乾燥重量１０ｇに相当）及びアスコルビン酸グルコシドを１．０％含有させた発毛・養毛促進剤の有効率は基剤１にセンブリ抽出液を１０．０％（乾燥重量１０ｇに相当）含有させた発毛・養毛促進剤の有効率より、１０．０％高くアスコルビン酸グルコシドによる相乗効果が認められた。
・基剤１にエチニルエストラジオールを１％及びアスコルビン酸グルコシドを１．０％含有させた発毛・養毛促進剤の有効率は基剤１にエチニルエストラジオールを１．０％含有させた発毛・養毛促進剤の有効率より、７．１％高くアスコルビン酸グルコシドによる相乗効果が認められた。
・基剤１に延命草抽出液を１０．０％（乾燥重量１０ｇに相当）及び苦参抽出液を１０．０％（乾燥重量１０ｇに相当）及びアスコルビン酸−α−グルコシドを１．０％含有させた発毛・養毛促進剤の有効率は基剤１に延命草抽出液を１０．０％（乾燥重量１０ｇに相当）含有させた発毛・養毛促進剤の有効率より、９．１％高くアスコルビン酸グルコシドによる相乗効果が認められた。
基剤１
　　　　　　　　　　　　　　　　（単位，ｇ）
　　濃グリセリン　　　　　　　　　　３．０
　　マルトース　　　　　　　　　　　１．０
　　イソプロピルメチルフェノール　　０．３
　　デカグリセリルモノラウレート　　０．５
　　サルチル酸　　　　　　　　　　　０．５
　　香料　　　　　　　　　　　　　　微量
　　アルコール　　　　　　　　　　　４０．０
　　水　　　　　　　　　　　　全量１００．０ｍｌ
基剤２
　　　　　　　　　　　　　　　　（単位，ｇ）
　　濃グリセリン　　　　　　　　　２５．０
　　マルトース　　　　　　　　　　　１．０
　　イソプロピルメチルフェノール　　０．３
　　ポリオキシエチレン硬化ヒマシ油　０．５
　　　　（５０Ｅ．Ｏ．）
　　サルチル酸　　　　　　　　　　　０．５
　　香料　　　　　　　　　　　　　　微量
　　アルコール　　　　　　　　　　　６０．０
　　水　　　　　　　　　　　　全量１００．０ｍｌ
基剤３
　　　　　　　　　　　　　　　　（単位，ｇ）
　　濃グリセリン　　　　　　　　　　２．０
　　マルトース　　　　　　　　　　　１．０
　　イソプロピルメチルフェノール　　０．３
　　デカグリセリルモノラウレート　　０．５
　　尿素　　　　　　　　　　　　　　１．０
　　カルボキシビニルポリマー　　　　０．５
　　トリエタノールアミン　　　　　　適量
　　エチルヘキサンジオール　　　　　２．０
　　香料　　　　　　　　　　　　　　微量
　　アルコール　　　　　　　　　　　３０．０
　　水　　　　　　　　　　　　全量１００．０ｍｌ